(57)【特許請求の範囲】
【請求項１】
液体を吸収する吸収体と、この吸収体より外側に配置された防水材とを積層して本体を形成する母乳パッドを収容するために、上下各１枚の帯状の部材の間に前記母乳パッドを挟みこむことで構成した収容体であって、
前記上下の帯状の部材の間で、２つ折りとした前記母乳パッドが、それぞれの曲折部を同じ向きになる方向に列状に連続して２つ配置されていて、
かつ前記上下の帯状の部材どうしは、その周縁に沿って互いに接着されており、
さらに、前記帯状部材の少なくとも一方には、前記２つの母乳パッドの間の領域にて、幅方向に沿った開封手段が設けられている
ことを特徴とする、母乳パッド収容体。
【請求項２】
前記収容体は、前記２つの母乳パッドを収容した個装単位が連続するように接続されており、かつこの個装単位ごとに幅方向に設けたミシン目を有する
ことを特徴とする、請求項１に記載の母乳パッド収容体。
【発明の詳細な説明】
【０００１】
【発明の属する技術分野】
この発明は、授乳期の母親が、ブラジャー等の下着と乳房との間に介装するための母乳パッドを収容する収容体の改良に関するものである。
【０００２】
【従来の技術】
従来、このような母乳パッドは、例えば図１３に示すように使用されている。図において、ブラジャー２の各カップ３，３の内側には、ほぼ円形のドーム状でなる母乳パッド１，１がひとつづつ介装されるようになっている。
【０００３】
このような母乳パッド１，１は、正面図である図１４（ａ）及び側面図である図１４（ｂ）に示すように、円形のドーム状に形成されており、厚み方向に複数の柔軟材料を積層して構成されている。すなわち、母乳パッド１は、使用者の肌と直接接触する内側表面に表面材を配置し、その次に吸収材を配置し、少なくとも外側には液体が吸収材からしみ出て着衣を汚すことがないように防水材料が積層されて構成されている。
【０００４】
また、この防水材料の表面側の所定の位置には、接着剤等を適用した接着部４が設けられており、図１３に示すようにブラジャー２のカップ３の内側にこの接着部４を貼りつけて固定して用いる。これにより、下着と母乳パッド１とがずれないようにして使用されている。
【０００５】
【発明が解決しようとする課題】
ところで、このような母乳パッド１は、その販売に際して、図１５の矢印に示すように２つ折りされて、図１６に示すような半円もしくは半月形にして、個装収容体５にひとつずつ包装されている。
この場合、個装収容体５は、例えばポリエチレンフィルム等により形成された袋体でなっており、その一面（図１７において上面）は、中央付近で幅方向に設けられ切断線５ｃに沿って切り離し、その切り口，もしくは切り口を手掛かりにして、上面部の一方，例えば５ａ側を切り離して、内部に収容されている２つ折り母乳パッド１を取り出すようになっている。
そして、取り出した母乳パッド１については、図１３にて説明した剥離紙４を手で剥がして、下着の内側に装着するようにして使用されている。
【０００６】
さらに、個装収容体５にひとつずつ収容された母乳パッド１は、例えば図１８に示すように多数個重ねて、複数列にして、図１９に示すようなポリエチレンフィルムでなる柔軟で防水性があるパッケージ６に収容して販売ルートに提供されることが好ましい。
【０００７】
しかしながら、上述した個装収容体５にあっては、中に収容される母乳パッド１を二つ折りにした状態においては、図１５に示すように、図において左側の高さｈ１は右側の高さｈ２よりも大きくなってしまう。
また、図１６ないし図１８に示されているように、円形の母乳パッド１を２つ折りにして収容しているために、図１８で示す領域７においては、収容物が個装収容体５の内側の空間を満たしていない。
このようなことが原因となって、図１８に示すように個装収容体５を重ねると、全体として、図において奥側が低くなるように傾斜してしまう。したがって、これを収容するための図１９に示したような矩形状の柔軟なパッケージ６に収容しにくいことから、型保持性のある紙製の箱に収容していた。しかし、このような紙製の箱は、流通においた場合に、例えば、箱の角部等が潰されたりすると、商品価値を損なうという問題がある。また、このような箱は、変形しにくいため、かさばってしまい、運搬に不便である。
【０００８】
さらに、個装収容体５では、母乳パッド１をひとつしか収容できず、図１３に示すように２つ同時に使用する場合には、使用者は、２つの個装収容体５を各別に破いて、母乳パッド１を取り出す必要があり、日常の使い勝手において不便な商品であった。
【０００９】
本発明は、このような問題を解決するためになされたもので、簡単な作業で、ひとつ，あるいは複数の母乳パッドを収容体から取り出すことができ、各収容体をまとめてパッケージとして流通に置く際に、柔軟でコンパクトな防水性のパッケージとすることが容易な母乳パッド収容体を提供すること目的としている。
【００１０】
【課題を解決するための手段】
上記目的は、請求項１の発明によれば、液体を吸収する吸収体と、この吸収体より外側に配置された防水材とを積層して本体を形成する母乳パッドを収容するために、上下各１枚の帯状の部材の間に前記母乳パッドを挟みこむことで構成した収容体であって、前記上下の帯状の部材の間で、２つ折りとした前記母乳パッドが、それぞれの曲折部を同じ向きになる方向に列状に連続して２つ配置されていて、かつ前記上下の帯状の部材どうしは、その周縁に沿って互いに接着されており、さらに、前記帯状部材の少なくとも一方には、前記２つの母乳パッドの間の領域にて、幅方向に沿った開封手段が設けられている、母乳パッド収容体により、達成される。
【００１１】
請求項１の構成によれば、収容体を上下２枚の帯状の部材で構成したので、製造工程において、連続した長いシート状材料を供給することにより、容易に収容体を製造することができる。
そして、２つ折りにされた２つの母乳パッドは、それぞれの曲折部を同じ向きになる方向に列状に連続して配置されているので、この２つの母乳パッドの間で曲折して重ねれば、重なった状態において、母乳パッドの曲折部と周縁部どうしがかさなるので、２つ折りにした収容体の形状は、左右で同じ厚みとなる。このため、これら収容体を多数重ねてパッケージを形成する際に、柔軟な素材にてバランスのとれた矩形状あるいは直方体等のパッケージを容易に形成できる。
また、上帯状体と下帯状体とを上下に重ねて収容体を形成するようにしたので、容易に内部の空気を追い出して周縁を接着できることから、収容体が空気により膨らむことがなく、このため、コンパクトなパッケージが得られる。
しかも、ひとつの収容体に２つの母乳パッドを形成したため、前記開封手段として設けた例えばミシン目等を破断すれば、ひとつの収容体を破くだけで２つの母乳パッドを同時に取り出すことができる。
また、このミシン目は、上述のように、左右で同じ厚みとなるように収容体を折りたたむ際に、その案内として便利である。
【００１２】
請求項２の発明は、請求項１の構成において、前記収容体は、前記２つの母乳パッドを収容した個装単位が連続するように接続されており、かつこの個装単位ごとに幅方向に設けたミシン目を有することを特徴とする。
【００１３】
請求項２の構成によれば、個装単位が一列に連続するように接続されているので、パッケージ内に収容する場合にバラバラにならならず、散逸しない利点がある。しかも、連続個装単位の任意の箇所にて、２つの母乳パッドの間で曲折して重ねれば、重なった状態において、全ての母乳パッドの曲折部と周縁部どうしがかさなる。このため、左右の厚みが同じとなり、柔軟な素材にてバランスのとれた矩形状あるいは直方体等のパッケージとすることができる。
また、使用に際しては、個装単位ごとに設けた前記ミシン目のいずれかの箇所を切り離すことで、任意の個数の母乳パッドを携行することができる。
【００１４】
【発明の実施の形態】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
図１は、本発明の実施形態による母乳パッドの外観を示す概略斜視図であり、図２は、図１の母乳パッドを装着した状態で、その内部構造を示す概略断面図である。
これらの図を参照して、先ず本実施形態における母乳パッドの構造を説明する。
【００１６】
図２に示すように、母乳パッド１０は、使用者が装着した状態では、その乳房１４の前面に位置する。この状態にて母乳パッド１０の外側（図２の左側）には、防水材１１が配置されており、内面側（図２において右側）には、表面材１３が配置されている。
そして、表面材１３と防水材１１の間には、吸収体１２が配置されており、これら表面材１３、防水材１１、吸収材１２は、例えば、それぞれほぼ円形に形成され、重ねられて、積層状態にて、母乳パッド１０の本体１８を構成している。
【００１７】
上記防水材１１は、液体を通さないが、好ましくは水蒸気を透過させて蒸れを防止でき、ある程度可撓性を備えている材料が選択されることが好ましい。また、防水材１１は、従来用いられていた熱変形可能な防水材と比べると柔軟な素材で形成されている。また、防水材１１を構成する材料は、耐熱性と防水性を備えていればよく、従来のように熱変形可能な材料でなくてもよい。
このような材料としては、例えばポリエチレンラミネート紙、ポリエチレンラミネート不織布やメルトブロー製法の不織布等が用いられる。
【００１８】
また、防水材１１の表面には、図１に示すように、接着部４が設けられている。この接着部４は、後述するように収容体に適用された接着剤が付着されることによって形成されるようにしてもよく、あるいは、そのような構造にしない場合には、防水材１１の表面に接着剤を適用し、その上に剥離紙を貼ることで、これを剥がして、図５にて説明したようなブラジャー２のカップ３の内側にこの接着部４を貼りつけて固定できるようになっている。
【００１９】
上記表面材１３は、直接使用者の肌と接触する部材であり、母乳等の水分を良く透過し、肌ざわりのよい素材が選択される。つまり、表面材１３は、直接使用者の肌に触れるため、肌を必要以上に損なうことなく、肌触りのよい点等を考慮して、これに適した材料が選択される。好ましくは、ドライメッシュシート（ポリエチレン等により形成した網目状シート）や、不織布が用いられる。
【００２０】
吸収体１２は、液体吸収性に優れた素材が選択され、パルプの繊維体や積層体やシート体が用いられる。さらに吸収体１２には、これらパルプ素材等に液体吸収性に優れ、液体をそのまま，あるいは半固化もしくは固化して保持する機能を備える材質の粒状物であるポリマーが混入使用されている。
このような材料としては、例えば吸水性の重合体が適しており、例えばポリアクリル酸塩系共重合体、澱粉−アクリロニトリルグラフト共重合体の加水分解物、澱粉−アクリル酸グラフト共重合体、ポリビニルアルコール−アクリル酸塩共重合体、カルボキシメチルセルロース変成物等が挙げられる。
そして、吸収体１２は、図３に示すように、ティシュ１５に包まれている。これにより、上記粒状のポリマー等が漏れでないようになっている。
以上の構成でなる母乳パッド１０は、図１５にて説明したのと同様に、半分に折り曲げられることによって、半円形もしくは半月形となって、図３の収容体に収容される。
【００２１】
図３は、上記母乳パッド１０を２つ収容して単位包装（個装）するための収容体２０を示している。
図において、母乳パッド収容体２０は、上帯状体２１と、下帯状体２２とからなるそれぞれ一方向に長い帯状の部材であり、これらは同じものであって、後述する製造工程において、例えば、帯状にしたポリエチレン製のフィルムとして供給されるものである。
この母乳パッド収容体（以下、「収容体」という）２０では、図３に示すように、下帯状体２２の上に２つの母乳パッド１０，１０が載置されている。この状態では、各母乳パッド１０，１０は上述したようにそれぞれ２つ折りされており、図３にて示されているように、同じ向きにされている。例えば図において右下側に各２つ折り母乳パッド１０，１０の曲折部１０ｂ，１０ｂが向くように、その向きが揃えられている。
【００２２】
この状態において、上から上帯状体２１が重ねられる。そして、上帯状体２１と下帯状体２２との間に、２つの母乳パッド１０，１０をはさみこむようにして、この上帯状体２１の周縁２１ａと下帯状体２２の斜線で示す周縁２２ａは、後述するようにして、例えばヒートシール等により接着されている。
さらに、上帯上体２１にあっては、中央付近にて、幅方向に沿って、開封手段２４が形成されている。この開封手段２４は、収容体を簡易な手段によって容易に開封することができるようにするために設けられるもので、この実施形態では、例えばミシン目で構成され、このミシン目２４を破断することによって、収容体２０から各母乳パッド１０，１０を取り出すことができるようになっている。
図４は、図３のＡ−Ａ線断面図である。
図において、収容体２０内では、２つ折りの各母乳パッド１０，１０は、その周縁部１０ａ及び曲折部１０ｂを同じ向きに揃えて、一列に収容されている。各母乳パッド１０，１０は、それぞれの防水材１１の表面の各２箇所において、例えば接着剤を適用してなる接着部１１ａ，１１ａを備えている。この接着部１１ａ，１１ａには、剥離手段としての剥離紙２５，２５が仮固定されており、さらに、これら剥離紙２５，２５は、上帯状体２１及び下帯状体２２に対して、各接着部２１ｂ，２２ｂによって固定されている。
【００２３】
そして、この場合、接着部１１ａ，１１ａと、これに対応した各接着部２１ｂ，２２ｂとは、例えば異なる接着剤を使う等の手段により、異なる接着力を有するように構成されている。
つまり、接着部２１ｂ，２２ｂは、接着部１１ａ，１１ａよりも接着力が強くなるように形成されている。
【００２４】
このため、使用者は、収容体２０を破くだけで、母乳パッド１０を取り出せる。つまり、この母乳パッド１０は取り出される時に剥離紙２５との仮固定が解除され、剥離紙は、接着部１１ａ，１１ａよりも接着力の強い各接着部２１ｂ，２２ｂ側に残る。これにより、母乳パッド１０では、取り出された時に、その防水材１１表面に２つの接着部１１ａ，１１ａが露出し、これによって、そのまま図１３で説明したように、下着の内側に固定することができる。
【００２５】
しかも、この母乳パッド１０では、下着に対する固定手段としての接着部が２箇所（１１ａ，１１ａ）あるため、しっかりと固定することができる。また、図１３及び図１４に示されているように、ひとつの接着部が円形の防水材の表面に偏心して存在すると、下着への装着位置との関係から方向性が生じるが、本実施形態の場合は、円形の防水材１１の対称の位置に２つの接着部１１ａ，１１ａが設けられているので、このような方向性がないため、その分使い勝手が向上する。
【００２６】
この収容体２０は、図４の状態から、その仮想の中心線Ｃ−Ｃを境にして、矢印に示すように曲折すると、図５に示すように折り重ねた状態とした二つ折りの単位包装となる。
尚、図５の場合、上述の各接着部は図示を省略されている。
【００２７】
図５において、この状態では、収容体２０内において、２つ折りの母乳パッド１０，１０は、それぞれ向きを逆にして重ねられることになり、このため、収容体２０の図において左側の厚みＴ１（高さ）と右側の厚みＴ２（高さ）はほぼ等しくなる。
【００２８】
図６ないし図９は、母乳パッド１０をこのような収容体２０に包装する工程を示している。
母乳パッド１０は、図１５で説明したような二つ折りの状態にて、コンベヤルト等の搬送ベルト３１により、矢印方向に送られる。この時、搬送手段３１では、母乳パッド１０の二つ折り状態における外側，つまり、上述した防水材１１の表面には、図において、上側と下側の両方に、接着部１１ａ，１１ａと、その上に剥離紙２５，２５が貼られた状態で送られてくる。この場合、各母乳パッド１０は、上述したように、同じ方向に揃えられて、一列に順次搬送される。
【００２９】
搬送手段３１の終端付近には、矢印方法に回転する吸引ドラム３２が配置されている。この吸引ドラム３２は、その外周面に、搬送手段３１によって送られてくる母乳パッド１０を真空吸着等の手段によって、順次吸着する。
この吸引ドラム３２の後段には、上から送られてくる上帯状体２１と、下から送られてくる下帯状体２２とが重ねられる工程が配置されている。吸引ドラム３２により送られる母乳パッド１０は、ここで、上帯状体２１と下帯状体２２との間に挟み込まれるようになっている。
【００３０】
この場合、上帯状体２１は、重ね合わせの前に、開封手段としてのミシン目２４が設けられ、さらに、上帯状体２１の下面側に対して、ディスペンサ等の供給手段３３により、ゴム系またはオレフィン系のホットメルト等の接着剤が適用される。また、下帯状体２２は、重ね合わせの前に、その上面側に対して、ディスペンサ等の供給手段３４により、ゴム系またはオレフィン系のホットメルト等の接着剤が適用される。これにより、上帯状体２１と下帯状体２２に挟まれる時に、母乳パッド１０の上下の各剥離紙２５，２５の表面側には、上記各接着剤が付着して、接着部２１ｂと接着部２２ｂが同時に形成されて、母乳パッド１０は各帯状体２１，２２の内側で仮固定される。
【００３１】
次いで、重ねられた上帯状体２１と下帯状体２２の各周縁部２１ａと２２ｂとはヒートシール等により接着されて、図７に示す状態となる。
そして、図７に示すように、母乳パッド１０，１０が２個ずつ包装された個装単位（二つの母乳パッド１０，１０が周縁のヒートシールにより囲まれた単位）が連続した状態から、製品単位の包装となるように、切断線３５に沿ってカットして、図８に示すように切り離し、包装を二つ折りする前の製品単位としての収容体２０を得る。
そして、この場合、母乳パッド１０，１０が周縁のヒートシールに先立って、各帯状体２１，２２は、工程上にて折られたりすることがなく、互いに上下にぴったりと重ねられるため、フィルムシート状の帯状体２１，２２の間からほぼ完全にエアーをパージすることができ、ヒートシール後に個装単位の袋状の内側が膨らむことがないので、後述するパッケージ包装の際にコンパクトにすることができる。
【００３２】
次に、図９に示すように、切り離された各収容体２０は、ディスペンサ等の供給手段３６により、ゴム系またはオレフィン系のホットメルト等の接着剤３８が適用される。これにより、図４で説明したように、母乳パッド収容体２０を２つ折りとした時に内側となる面どうしを固定し、開くことを防止する。そして、この２つ折り状態にて、ミシン目２４から異物等が内部に侵入することを防止する。さらに、各収容体２０は、搬送手段４４により矢印方向に送られる途中で、順次、例えば、回転方式の折り手段４１等によって、図４で説明した仮想の中心線Ｃ−Ｃを境にして、曲折され、二つ折りの単位包装でなる収容体２０は、搬送手段４２と搬送手段４３の間に案内されて、矢印方向へ送られる。
【００３３】
次に、図１０に示すように、多数の母乳パッド収容体２０が重ねられる。この場合、図５で説明したように、母乳パッド収容体２０の全体において、その厚みは同じに仕上げられているので、安定的に重ねることができる。
そして、図１１に示すように重ねた多数の母乳パッド収容体２０をさらに並列に複数列配置し、矢印に示すように周囲から加重をかけて圧縮して、図１２に示すように、パッケージ材料３７で包む。
【００３４】
この場合、縦横に重ねた多数の母乳パッド収容体２０は、ほぼ正確な矩形もしくは直方体となるから、柔軟で防水性を備えたポリエチレン等のパッケージ材料３７で包装することができ、従来のような扱いにくい紙製の箱体でなるパッケージと比較すると、流通の各過程において、極めて扱い易い。
しかも、上述したように、上帯状体２１と下帯状体２２とは、間の空気を追い出して重ねて接着されることから、収容体２０が空気により膨らむことがなく、このため、コンパクトなパッケージが得られる。
【００３５】
また、本実施形態の母乳パッド収容体２０は、上記パッケージ性能以外にも、以下のような種々の利点を備えている。
すなわち、上述したように、２つの母乳パッド１０，１０をひとつの単位包装とすることができるので、図１３にて説明したように、ブラジャー２の各カップ３，３に母乳パッド１０，１０をそれぞれ装着しようとする場合には、使用単位に対応した便利な単位包装とすることができる。
また、ひとつの母乳パッド１０だけを使用したい場合には、図３のミシン目２４を破断して、一方の母乳パッド１０だけを取り出し、、その後は、図５のように母乳パッド収容体２０を２つ折りにすれば、携行に便利である。
【００３６】
さらに、図６で説明したように、収容体２０の内面に、予め接着剤が適用されている場合には、上記ミシン目２４を破断して、母乳パッド１０を取り出すだけで、剥離紙２５，２５は、上帯状体２１の接着部２１ｂと下帯状体２２の接着部２２ｂに貼りついた状態で収容体側に残り、母乳パッド１０の表面（防水材１１の表面）に、２つの接着部１１ａ，１１ａを露出させることができる。
つまり、使用者が母乳パッド収容体２０を図５の状態にて、保持している場合には、図５から図４の状態に開いて、ミシン目２４を破き、収容されている母乳パッド１０を取り出すだけで、図１３に示すように、接着部４を利用して下着に装着することができる。したがって、従来のように個装とされた母乳パッドについて、ひとつずつその包装をやぶき、剥離紙を外すといった面倒な手順が省略され、簡単に使用することができる。
しかも、ゴミとして剥離紙が残ることもないので、出先で使用する際等においても、不要な剥離紙を処理する不便がなく、きわめて機能的で使いやすい。
【００３７】
本発明は上述の実施形態に限定されない。
例えば母乳パッド１０の本体１８は、円形である必要はなく、他の形状であってもよいことは勿論である。また、本体１８内の収容材料は、上述の部材以外のものであってもよい。
また、開封手段は、ミシン目に限らず、帯状部材の幅方向に、単に切れ目を設けて構成してもよい。この場合、この切れ目にシールを貼りつけて封をしたり、切れ目部分の材料を僅かにオーバーラップしたりして開封手段としてもよい。
さらにまた、防水材１１や表面材１３、吸収体１２は、上述の実施形態記載の材料以外の種々の材料を選択することができる。
また、上述の各実施形態の各構成部分を任意に選択して組み合わせてもよい。
【００３８】
【発明の効果】
以上述べたように、本発明によれば、簡単な作業で、ひとつ，あるいは複数の母乳パッドを収容体から取り出すことができ、各収容体をまとめてパッケージとして流通に置く際に、柔軟でコンパクトな防水性のパッケージとすることが容易な母乳パッド収容体を提供することができる。
【図面の簡単な説明】
【図１】本発明による母乳パッドの実施形態の概略斜視図である。
【図２】図１の母乳パッドを装着した状態における概略断面図である。
【図３】図１の母乳パッドを単位包装するための収容体を示す概略図である。
【図４】図３の収容体に母乳パッドを収容する状態を示す概略断面図である。
【図５】図３の収容体に母乳パッドを収容した状態で二つ折りとした状態を示す概略断面図である。
【図６】図１の母乳パッドの製造工程における包装工程の一段階を示す概略説明図である。
【図７】図６より後段において、収容体が個装単位毎に周縁を接着されている状態を示す概略平面図である。
【図８】図７より後段において、製品単位毎に切り離す状態を示す概略平面図である。
【図９】図７より後段において、収容体を二つ折りとする工程を示す説明図である。
【図１０】図９より後段において、製品を重ね合わせて、パッケージを形成するための一工程を示す概略説明図である。
【図１１】図１０より後段において、重ね合わせた製品を並列に配置して圧縮する工程を示す概略説明図である。
【図１２】図１１より後段において、重ね合わせた製品を圧縮後にパッケージを形成する工程を示す概略説明図である。
【図１３】従来の母乳パッドの使用状態を示す説明図である。
【図１４】（ａ）は、図１３の母乳パッドの正面図であり、（ｂ）は、母乳パッドの側面図である。
【図１５】従来の母乳パッドを二つ折りとした状態を示す正面図である。
【図１６】図１５の母乳パッドを個装した状態を示す図である。
【図１７】図１６の母乳パッドの個装の概略縦断面図である。
【図１８】図１６の母乳パッドの個装を積み重ねる状態を示す概略斜視図である。
【図１９】図１６の母乳パッドの個装を積み重ねたものをさらに複数並べて、パッケージを形成する状態を説明するための概略斜視図である。
【符号の説明】
１０・・・母乳パッド、１１・・・防水材、１１ａ・・・接着部、１２・・・吸収体、１３・・・表面材、１５・・・ティシュー、２０・・・収容体、２１・・・上帯状体、２１ａ・・・周縁、２１ｂ・・・接着部、２２・・・下帯状体、２２ａ・・・周縁、２２ｂ・・・接着部、２４・・・ミシン目。
【図１】
0004067245.tif 000002
【図２】
0004067245.tif 000003
【図３】
0004067245.tif 000004
【図４】
0004067245.tif 000005
【図５】
0004067245.tif 000006
【図６】
0004067245.tif 000007
【図７】
0004067245.tif 000008
【図８】
0004067245.tif 000009
【図９】
0004067245.tif 000010
【図１０】
0004067245.tif 000011
【図１１】
0004067245.tif 000012
【図１２】
0004067245.tif 000013
【図１３】
0004067245.tif 000014
【図１４】
0004067245.tif 000015
【図１５】
0004067245.tif 000016
【図１６】
0004067245.tif 000017
【図１７】
0004067245.tif 000018
【図１８】
0004067245.tif 000019
【図１９】
0004067245.tif 000020